(57)【要約】【課題】引き出し、開き戸を持つ箱型家具において、文字を書いたり、消したりして、しかも簡単に開かない家具で、その引き出し、開き戸の表面と家具側面に、磁気吸着可能なホワイトボ−ド化粧板を使用している簡単に開かない家具を提供する。【解決手段】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である。【選択図】図１
0003219271.tif 000002
【実用新案登録請求の範囲】
【請求項１】
引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用していることを特徴とする文字が書けて簡単に開かない家具。
【請求項２】
引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、前記家具の表面と側面と合わせた面積で、ボンド磁性シートを付着できて、しかも文字を書き、消されるホワイトボードの表装材にして、前記側板に前面の引き出、開き戸を持つ箱型家具を開けることができる磁性体を取り付けた装飾性用具を吸着させていることを特徴とする請求項１に記載の文字が書けて簡単に開かない家具。
【請求項３】
磁性シートを付着できるホワイトボード化粧板は、水性、油性のマジックペンにて字体、絵画を描くことができて、さらに描写された画面を簡単に消去でき、磁性体を簡単に吸着できる表装材であって、前記表装材の表面は磁気吸着力を持つ表面体内に２５〜２００μｍの厚さのスチール箔、又は２００〜３００μｍ厚さのスチール板上に白色の焼き付け塗装を施した化粧板を使用していることを特徴とする請求項１、又は請求項２に記載の文字が書けて簡単に開かない家具。
【考案の詳細な説明】
【技術分野】
【０００１】本考案は、引き出し、開き戸を持つ箱型家具において、文字を書いたり、消したりして、しかも簡単に開かない家具で、その引き出し、開き戸の表面と家具側面に、磁気吸着可能なホワイトボード化粧板を使用している簡単に開かない家具に関するものである。
【背景技術】
【０００２】左右の側縁に対し中央部が奥行き方向に湾曲して凹となる面と凸となる面を形成したホワイトボード盤面と、下端部に床上を移動可能な移動支持部を有し上端側において前記盤面を伸張方向の反発力を蓄積、解放可能に支持する伸縮支持体とを具備するものであって、当該盤面の幅方向中央部の下方に前記伸縮支持体に対する操作部を付帯させ、それと一連に行う上方への操作と伸縮支持体の反発力を放出する方向とが相まって盤面を押し上げ得るように構成した板状家具が提案されている（特許文献１参照）。【０００３】前面開口型の（壁面収納）家具に取り付ける（壁面収納）家具用スライドボード装置であって、前記（壁面収納）家具の前面にスライド可能に配置する板面ホワイトボード仕様のスライド板と、このスライド板を定位置で施錠し、当該スライド板の背面側を閉塞する施錠機構部とを有する家具用スライドボード装置が提案されている（特許文献２参照）。【０００４】ホワイトボードや家具等に取り付けるマグネットや粘着材付きの部材・クリップ・小物入れ・フック等に、発光ダイオードや電球等の発光体を取り付けて、より一層目立たせ、引き立たせて注目させることができる発光ホルダーを得るにあるために、マグネットと、そのマグネットを取り付けたホルダー本体と、そのホルダー本体に取付けた発光ダイオードや電球等の発光体と、その発光体に電気を供給するバッテリーやソーラーパネル等の電源とで発光ホルダーを構成しているものが提案されている（特許文献３参照）。【０００５】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面には、表装材を貼ったスチール箔を含んでいる化粧板を使用していることを簡単に開かない家具が提案されている（特許文献４参照）。【０００６】箱型家具において、文字を書き、消すことができて、簡単に開かないように引き出しの前板、又は／及び前記開き戸の扉が、取手部を持たず、家具骨格構造内に嵌まり込んで、隙間もなくした家具は存在してない。
【先行技術文献】
【特許文献】
【０００７】
【特許文献１】特開２０１１−５１１７９号公報
【特許文献２】実用新案登録第３１１６９９６号公報
【特許文献３】特開２００４−３４２５６８号公報
【特許文献４】実用新案登録第３２１２２９４号公報
【考案の概要】
【考案が解決しようとする課題】
【０００８】家具の表面、及び側面に文字を簡単に書けて、更にホワイトボードの役目をすることは、非常に便利である。特に幼児、小学生では、伝言、勉強、落書き、漫画などの絵画を家庭内のいたるところで描くことをする場合が多い、部屋内に備えている家具に簡単に文字を書いたり、消したりすると非常に喜ばれる。現在の家庭状況から、留守をする場合が多く、伝言を書いておくことも必要になってくる。【０００９】文字を書くことができる家具に加えて、マグネットの吸着ができることはさらに家具の機能を高めることである。さらに家具の引き出し、開き戸における取手などは、家具正面に取り付けるもので、幼い子でも容易に開放させることができるため、簡単に開放防止効果は薄いと思われる。引き出しなどにロック機能を引き出し１つ１つに設けなければならず、固定に手間が掛かり、同時に開放にも手間が掛かるものである。簡単に家具の引き出し、及び開き戸が容易に開けることができず、簡単な工夫によって容易に開放出来れば、非常に便利である。このような従来の構成が有していた問題を解決しようとするもので、すべての引出しの固定と開放が簡単・容易にできず、マグネットの助力によって行うことのできる引き出し、開き戸を開くことできて、表面、側面において文字を書いてけされる家具を提供することを目的とする。【００１０】そこで，本考案は上記事情に鑑みてなされたものであり，その目的とするところは，しかし取手がなく、引き出しの間、或いは開き戸の扉間に隙間がないと容易に開くことは不可能である。特に幼児、或いは防犯対策として、開かない家具であって、伝言などを簡単に書ける家具は期待されている。家具の表面、側面のスチール箔を含むホワイドボード化粧板を使用すると、マグネットによって吸着して、取手の役目を果たすものである。家具前面から突出する部分、及び２ｍｍ以上の隙間を持っていなく、さらに引き出し、開き戸の表面には、文字が書けて、消されるホワイトボードの表装材を貼ったスチール箔を含んでいる化粧板を使用している家具を提供することを目的とする。
【課題を解決するための手段】
【００１１】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である。【００１２】引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、前記家具の表面と側面と合わせた面積で、ボンド磁性シートを付着できて、しかも文字を書き、消されるホワイトボードの表装材にして、前記側板に前面の引き出、開き戸を持つ箱型家具を開けることができる磁性体を取り付けた装飾性用具を吸着させている。【００１３】磁性シートを付着できるホワイトボード化粧板は、水性、油性のマジックペンにて字体、絵画を描くことができて、さらに描写された画面を簡単に消去でき、磁性体を簡単に吸着できる表装材であって、前記表装材の表面は磁気吸着力を持つ表面体内に２５〜２００μｍの厚さのスチール箔、又は２００〜３００μｍ厚さのスチール板上に白色の焼き付け塗装を施した化粧板を使用している。【００１４】ホワイドボードを貼った箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものである。【００１５】ホワイドボードを貼った家具の側面に引き出、開に戸を持つ箱型家具を開ける磁性体を取り付けている装飾用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけている。
【考案の効果】
【００１６】文字が書けて簡単に開かない家具はデザイン、機能として、ホワイトボード表面に文字を書いて、簡単に消すことができて、しかも取手がなく、引き出しの間、或いは開き戸の扉間に隙間がないと容易に開くことはできない。文字が書けて、開かない家具として家具の表面、側面に表装材とスチール箔、スチール板を含むホワイトボード化粧板を使用して、家具の前面に取手をなくして、隙間部分を取り除いたものにすると、全く開放することができない。家具の表面はマグネットを吸着し、取手の役目を果たす。伝言やメッセージを書いておくことができて、必要な時にマグネットによって取手の役目をされれば、文字が書けて簡単に開かない家具になって、マグネットによって簡単に開放でき、さらに装飾吸着体を吸着できる家具になった。【００１７】表装材とスチール箔とスチール板を含むホワイトボード化粧板を使用した家具の表面、側面等に、人物、自然、風景、アニメから選ばれた図柄、写真、及び計画表、或はメモ書表などボンド磁性シートを貼ることができるとともに文字が書けて、簡単に消されるもので、家具を状況によって図柄、写真の模様替えしたり、文字を、絵画を描いたりした部屋にできて，満足感がえられて，結果的に上記部屋と自身の調和のとれない家具を設置することができた。
【図面の簡単な説明】
【００１８】
【図１】文字が書けて簡単に開かない家具の斜視図である。Ａ：チェスト  Ｂ：ロッカー
【図２】文字が書けて簡単に開かない家具における表面の描写状態図である。Ａ：ロッカー  Ｂ：描写ペン  Ｃ：消去具
【図３】文字が書けて簡単に開かない家具の使用状態の斜視図である。Ａ：チェスト  Ｂ：ロッカー  Ｃ：マグネット取手
【考案を実施するための形態】
【００１９】以下、本考案の実施形態について、図面を参照して説明する。
図１は磁性シート付着化粧板を使用した洋服箪笥の斜視図である。図２は磁性シート付着化粧板の図である。図３は磁性シート付着化粧板に吸着させる図柄付き樹脂フイルムの図である。図４は磁性シート付着化粧板を使用した家具を配置した室内斜視図である。図５は磁性シート付着化粧板を使用したチェストの概略斜視図である。
【実施例１】
【００２０】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である。【００２１】図１Ｂに示すように引き出し、開き戸を持つロッカー箱型家具が備える扉や引き出しの前板で、手の指を家具の隙間、又は器具に差し込むことができない家具の同一表面状態になっているロッカーである洋服箪笥であって、前記家具の表面の面積で、ボンド磁性シートを付着できて、しかも文字を書き、消されるホワイトボードの表装材にして、前記側板に前面の引き出、開き戸を持つホワイドボードを前板である箱型家具をマグネットによって開けることができ、表面にはマジックペンにて文字を描写できる磁性体を取り付け、装飾性用具を吸着させた。【００２２】図３Ｂに示すように、磁性シートを付着できるホワイトボード化粧板は、ロッカー洋服箪笥の両開き開戸にと引き出しの前板に取り付けた。前記開き戸と引き出しの表面にしたホワイトボードでは、水性、油性のマジックペンにて字体、絵画を描くことができて、さらに描写された画面を簡単に消去でき、磁性体を簡単に吸着できる表装材であって、前記表装材の表面は磁気吸着力を持つ表面体内に２００μ厚さのスチール箔、白色の焼き付け塗装を施した化粧板を使用した。【００２３】ホワイドボードを貼った洋服箪笥の箱型家具における引き出しの前板、両開き戸の戸において、引き出しは、出し入れの駆動にローラー付きスライドレールを使用して、一個の引き出しの重量１０ｋｇ以内であり、開き戸は、軽量駆動の丁番と留め具を使用して、扉の重量として９ｋｇであった。
ホワイドボードには、種々のメモ、或は伝言、希望の模様の絵画を描くことができた。また開き戸、引き出しは簡単には開かなかった。
【実施例２】
【００２４】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である。【００２５】引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、前記家具の表面と側面と合わせた面積で、ボンド磁性シートを付着できて、しかも文字を書き、消されるホワイトボードの表装材にして、前記側板に前面の引き出、開き戸を持つ箱型家具を開けることができる磁性体を取り付けた装飾性用具を吸着させている。【００２６】磁性シートを付着できるホワイトボード化粧板は、水性、油性のマジックペンにて字体、絵画を描くことができて、さらに描写された画面を簡単に消去でき、磁性体を簡単に吸着できる表装材であって、前記表装材の表面は磁気吸着力を持つ表面体内に２５〜２００μｍの厚さのスチール箔、又は２００〜３００μｍ厚さのスチール板上に白色の焼き付け塗装を施した化粧板を使用している。【００２７】ホワイドボードを貼った箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものである。ホワイドボードには、種々のメモ、或は伝言、希望の模様の絵画を描くことができた。また戸、引き出しは簡単には開かなかった。
【実施例３】
【００２８】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である。【００２９】引き出し、開き戸を持つ箱型家具が備える扉や引き出しの前板で、手の指を家具の隙間、又は器具に差し込むことができない家具の同一表面状態になっているチェストであって、前記家具の表面と側面と合わせた面積で、ボンド磁性シートを付着できて、しかも文字を書き、消されるホワイトボードの表装材にして、前記側板に前面の引き出、開き戸を持つ箱型家具を開けることができる磁性体を取り付けた装飾性用具を吸着させている。【００３０】磁性シートを付着できるホワイトボード化粧板は、水性、油性のマジックペンにて字体、絵画を描くことができて、さらに描写された画面を簡単に消去でき、磁性体を簡単に吸着できる表装材であって、前記表装材の表面は磁気吸着力を持つ表面体内に２５〜２００μｍの厚さのスチール箔、又は２００〜３００μｍ厚さのスチール板上に白色の焼き付け塗装を施した化粧板を使用している。【００３１】ホワイドボードを貼った箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として９ｋｇであった。
【符号の説明】
【００３２】１、開かない家具
２、引き出し
３、開き戸
４．表面
５、側面
６．スチール箔、スチール板を含む化粧板
７．隙間、
８．取手
９、表装材
１０、側板
１１、ホワイトボード
１２、文字、絵画
１３、ボンド磁性シート
１４、磁性体吸着用具
１５、マジックペン
【図１】
0003219271.tif 000003
【図２】
0003219271.tif 000004
【図３】
0003219271.tif 000005